Podtech/llm-jp-corpus-v4-ja_patent huggingface dataset:
【手続補正書】
【提出日】平成19年2月8日(2007.2.8)
【手続補正１】
【補正対象書類名】明細書
【補正対象項目名】特許請求の範囲
【補正方法】変更
【補正の内容】
【特許請求の範囲】
【請求項１】 床部を有する昇降路と、
前記昇降路に配置されたレール装置と、
かご緩衝器と、
前記レール装置に取り付けられ、それに沿って昇降可能なエレベータかごと、
を備えるピットのないエレベータ装置であって、前記かごは、前記緩衝器と接触するように位置する構造部材を備え、前記エレベータかごは、前記床部に障害物のない設置範囲を規定し、前記緩衝器は、前記設置範囲の外側に位置することを特徴とするエレベータ装置。
【請求項２】 前記エレベータ装置は、さらに、前記設置範囲の外側に位置するピット綱車を備えることを特徴とする請求項１記載のエレベータ装置。
【請求項３】  昇降路と、
前記昇降路に配置されたレール装置と、
かご緩衝器と、
前記レール装置に昇降可能に取り付けられたエレベータかごと、
を備えるエレベータ装置であって、前記エレベータかごは、第１番めの階と第ｎ番めの階との間を昇降可能であり、前記第１番めの階は、前記昇降路の床部に位置し、前記かごは、前記かご緩衝器と接触するように位置する構造部材を備え、前記かご緩衝器は、前記エレベータかごが昇降する領域に隣接した前記昇降路内の隙間空間に位置することを特徴とするエレベータ装置。
【請求項４】  前記構造部材は、前記かご緩衝器と位置が揃えられた当たり山形部材を備えることを特徴とする請求項３記載のエレベータ装置。
【請求項５】  前記エレベータ装置は、前記エレベータかごが昇降する領域に隣接した前記昇降路内の隙間空間に位置するピット綱車を備えることを特徴とする請求項３記載のエレベータ装置。
【請求項６】 前記エレベータ装置は、さらに、格納式トーガードを備えることを特徴とする請求項３記載のエレベータ装置。
【請求項７】  前記トーガードは、さらに、展開と格納のうちの少なくとも一方のためのアクチュエータを備え、このアクチュエータは、自動と手動のうちの少なくとも一方で作動可能であることを特徴とする請求項６記載のエレベータ装置。
【請求項８】  前記トーガードは、前記エレベータかごにばねヒンジにより取り付けられていることを特徴とする請求項６記載のエレベータ装置。
【請求項９】  前記トーガードは、前記エレベータかごにヒンジにより取り付けられていることを特徴とする請求項６記載のエレベータ装置。
【請求項１０】  前記トーガードは、さらに、このトーガードが前記エレベータかごにヒンジにより取り付けられる端部から離れた方の末端部に、ローラを備えることを特徴とする請求項９記載のエレベータ装置。
【請求項１１】  前記トーガードは、さらに、このトーガードが前記エレベータかごにヒンジにより取り付けられる端部から離れた方の前記トーガードの末端部に隣接した位置に、屈曲部を備えることを特徴とする請求項９記載のエレベータ装置。
【請求項１２】  前記エレベータ装置は、さらに、前記トーガードと位置が揃うように前記床部に取り付けられた蹴部材を備えることを特徴とする請求項６に記載のエレベータ装置。
【請求項１３】 床部を有する昇降路と、
かご緩衝器と、
前記昇降路内を昇降可能なエレベータかごと、
を備えるエレベータ装置であって、前記かごは、前記緩衝器と接触するように位置する構造部材を備え、前記エレベータかごは、前記床部に障害物のない設置範囲を規定し、前記緩衝器は、前記設置範囲の外側に位置することを特徴とするエレベータ装置。
【請求項１４】 前記エレベータ装置は、さらに、前記設置範囲の外側に位置するピット綱車を備えることを特徴とする請求項１３記載のエレベータ装置。
【請求項１５】  シート材料と、
エレベータかごに接続可能な、前記シート材料の一端に沿ったヒンジによる接続部と、
を備えることを特徴とするエレベータかご用の格納式トーガード。
【請求項１６】  前記トーガードは、展開位置と格納位置の少なくとも一方の位置に前記トーガードを付勢する付勢装置を備えることを特徴とする請求項１５記載の格納式トーガード。
【請求項１７】  前記付勢装置は、ばねであることを特徴とする請求項１６記載の格納式トーガード。
【請求項１８】  前記トーガードは、さらに、このトーガードの展開と格納のうちの少なくとも一方のためのアクチュエータを備え、このアクチュエータは、自動と手動のうちの少なくとも一方で作動可能であることを特徴とする請求項１５記載の格納式トーガード。
【請求項１９】 昇降路内を昇降するかごを備えるエレベータ装置であって、前記かごは、展開位置と格納位置とを有するトーガードを備え、このトーガードは、前記展開位置では前記かごから下方に延び、前記格納位置ではかごの方へ格納されることを特徴とするエレベータ装置。
【請求項２０】 前記エレベータ装置は、さらに、前記トーガードを前記かごに接続するヒンジを備え、前記トーガードは、このトーガードの前記ヒンジ回りの回転移動の結果として前記展開位置から前記格納位置に移動することを特徴とする請求項１９記載のエレベータ装置。
【請求項２１】 前記昇降路は、ピットを備え、前記トーガードは、前記かごが前記ピットに隣接した状態では前記格納位置にあることを特徴とする請求項１９記載のエレベータ装置。
【請求項２２】 前記トーガードは、このトーガードの前記格納位置への移動が生じるように前記ピットに接触することを特徴とする請求項２１記載のエレベータ装置。
【請求項２３】 前記トーガードは、ローラを備え、このローラは、前記トーガードの移動が生じるように前記ピットに接触することを特徴とする請求項２２記載のエレベータ装置。
【請求項２４】 前記トーガードは、前記かごが前記ピットから離れるときに前記展開位置に移動することを特徴とする請求項２１記載のエレベータ装置。
【手続補正書】
【提出日】平成19年2月20日(2007.2.20)
【手続補正１】
【補正対象書類名】明細書
【補正対象項目名】特許請求の範囲
【補正方法】変更
【補正の内容】
【特許請求の範囲】
【請求項１】  固体粒子の運搬方法であって：固体粒子に発泡剤を混合して運搬可能な混合物を形成すること；運搬可能な混合物に水および結合剤を添加すること；運搬可能な混合物、水および結合剤を混合して発泡した水硬性組成物を形成すること；および水硬性組成物を所望の場所へ運搬することを含む、前記方法。
【請求項２】  混合物が、粒子の総量に基づき約５０％未満の水分量である、請求項１に記載の方法。
【請求項３】  発泡剤が乾燥粉末の形態である、請求項１または２に記載の方法。
【請求項４】  さらに泡安定化剤を添加し、その混合物を混合することを含む、請求項１〜３のいずれかに記載の方法。
【請求項５】  さらに混合物に減水分散剤を添加し、混合物を混合することを含む、請求項１〜４のいずれかに記載の方法。
【請求項６】  さらに混合物に結合剤を添加することを含む、請求項１〜５のいずれかに記載の方法。
【請求項７】  結合剤を、混合前および運搬後のいずれかのステップで添加する、請求項６に記載の方法。
【請求項８】  固体粒子の掘削および運搬の方法であって：
ａ．掘削領域から固体粒子を除去すること、
ｂ．固体粒子と発泡剤を混合して運搬可能な混合物を形成すること、
ｃ．運搬可能な混合物に水および結合剤を添加すること、
ｄ．運搬可能な混合物、水および結合剤を混合して水硬性組成物を形成すること、および
ｅ．水硬性組成物を所望の場所へ運搬すること
を含む、前記方法。
【請求項９】  添加がさらに混合剤の添加を含む、請求項８に記載の方法。
【請求項１０】  混合剤が、泡安定化剤、減水分散剤、レオロジー改質剤、促進剤、凝結遅延剤、腐食防止剤、およびそれらの混合物からなる群から選択される、請求項９に記載の方法。
【手続補正書】
【提出日】平成19年4月25日(2007.4.25)
【手続補正１】
【補正対象書類名】明細書
【補正対象項目名】特許請求の範囲
【補正方法】変更
【補正の内容】
【特許請求の範囲】
【請求項１】  下面と、駆動面を有する下面に形成されたポケットと、陥設面とを有するベルトモジュールと共に使用する駆動スプロケットにおいて、
外周を有していて軸の周囲に回転するベースと、
前記外周から半径方向に延設された複数の歯であって、少なくとも１個の歯がモジュールポケット駆動面と契合する駆動面と前記駆動面と結合しているトップを含む歯と、
前記歯の間にベルトから落下してくる粒子を受け容れる逃げ部であって、前記逃げ部が、それぞれ、前記ベースに向かって延設され、対向して軸方向に向いた側面によって画定された底部を備えていて、前記軸方向に向いた側面の少なくとも１個が、軸方向外方から、前記逃げ部の前記少なくとも１個の前記底部から前記ベースに向かって半径方向内方へ延設された湾曲面である逃げ部と、
からなる駆動スプロケット。
【請求項２】  前記歯の少なくとも１個が、面取りした側面を備えている請求項１に記載の駆動スプロケット。
【請求項３】  前記歯の少なくとも１個が、クラウンを有するトップと、前記クラウンから背後に延設された傾斜部分とを備えている請求項１に記載の駆動スプロケット。
【請求項４】  前記歯トップのクラウンが表面積を有していて、前記歯トップ傾斜部分が表面積を有していて、前記歯トップのクラウンの表面積が、前記傾斜部分の表面積より小さい請求項３に記載の駆動スプロケット。
【請求項５】  前記歯トップのクラウンの前記表面積が、前記傾斜部分の前記表面積の１／４以下である請求項４に記載の駆動スプロケット。
【手続補正書】
【提出日】平成19年4月9日(2007.4.9)
【手続補正１】
【補正対象書類名】明細書
【補正対象項目名】特許請求の範囲
【補正方法】変更
【補正の内容】
【特許請求の範囲】
【請求項１】  光導波路ファイバの製造に用いるためのガラスプレフォームの製造方法であって、
外付け溶着（ＯＶＤ）プロセスにより、軸方向に延在して中を通る中心孔を持つ、シリカベースのガラスの円柱形多孔質体を提供する工程、
第１と第２のプラグを前記中心孔の反対側の両端部に挿入する工程、
ヘリウムを含有する不活性ガス雰囲気を含む炉内に前記多孔質体を配置する工程、
前記多孔質体を乾燥させる工程、
前記多孔質体を焼結して、前記第１と第２のプラグの周りで閉塞し、それによって、前記中心孔が封止された焼結ガラスプレフォームを形成し、かつ封止された該中心孔内にヘリウムを捕捉する工程、および
前記封止された中心孔内に受動的な真空を生じさせるのに十分な時間と温度で前記焼結ガラスプレフォームを加熱する工程であって、前記受動的な真空が、前記不活性ガス雰囲気の前記中心孔からの拡散により生成され、したがって、その中の圧力が前記焼結ガラスプレフォームの外部の圧力より低くなっている工程、
を有してなる方法。
【請求項２】  前記プラグの少なくとも一方が、重量で３０ｐｐｍ未満のＯＨ含有量を持つ化学的に乾燥されたガラスプラグであることを特徴とする請求項１記載の方法。
【請求項３】  前記プラグの少なくとも一方が、重量で５ｐｐｂ未満のＯＨ含有量を持つ化学的に乾燥されたガラスプラグであることを特徴とする請求項１または２記載の方法。
【請求項４】  前記プラグの少なくとも一方が、重量で１ｐｐｂ未満のＯＨ含有量を持つ化学的に乾燥されたガラスプラグであることを特徴とする請求項１から３いずれか１項記載の方法。
【請求項５】  前記プラグの少なくとも一方が、細長い中空部分を含むことを特徴とする請求項１から４いずれか１項記載の方法。
【請求項６】  前記細長い中空部分が２ｍｍ未満の厚さを有することを特徴とする請求項５記載の方法。
【請求項７】  前記細長い中空部分が２００μｍから２ｍｍ未満の厚さを有することを特徴とする請求項５または６記載の方法。
【請求項８】  前記焼結ガラスプレフォームを加熱して、直径の減少したガラスプレフォームに延伸する工程をさらに含むことを特徴とする請求項１から７いずれか１項記載の方法。
【請求項９】  前記焼結ガラスプレフォームが加熱され、直径の減少したガラスプレフォームに延伸されるときに、前記中心孔が閉じることを特徴とする請求項８記載の方法。
【手続補正書】
【提出日】平成19年4月18日(2007.4.18)
【手続補正１】
【補正対象書類名】明細書
【補正対象項目名】特許請求の範囲
【補正方法】変更
【補正の内容】
【特許請求の範囲】
【請求項１】  含ケイ素基材と２５〜５００ミクロンの厚さのジルコンコーティングとを含んでなる製品であって、上記含ケイ素基材がケイ素質マトリックスと補強用の繊維、粒子又はウィスカーとからなる複合材料であり、上記ジルコンコーティングがジルコンコーティングの熱膨張率（ＣＴＥ）と基材の熱膨張率（ＣＴＥ）とを近付けるコーディエライト（２ＭｇＯ・２Ａｌ2Ｏ3・５ＳｉＯ2）、溶融石英（ＳｉＯ2 ）、ケイ素（Ｓｉ）及びそれらの混合物からなる群から選択される改質剤を含む、製品。
【請求項２】  前記ジルコンがＺｒＳｉＯ4 からなる、請求項１記載の製品。
【請求項３】  前記基材が炭化ケイ素（ＳｉＣ）又は窒化ケイ素（Ｓｉ3Ｎ4）からなる、請求項１記載の製品。
【請求項４】  前記基材がモノリシック炭化ケイ素（ＳｉＣ）又はモノリシック窒化ケイ素（Ｓｉ3Ｎ4）からなる、請求項１記載の製品。
【請求項５】  前記基材が、炭化ケイ素（ＳｉＣ）繊維強化炭化ケイ素（ＳｉＣ）マトリックス複合材料、炭素繊維強化炭化ケイ素（ＳｉＣ）マトリックス複合材料、又は炭化ケイ素（ＳｉＣ）繊維強化窒化ケイ素（Ｓｉ3Ｎ4）複合材料からなる、請求項１記載の製品。
【請求項６】  前記基材が、ケイ素溶浸法で処理した炭化ケイ素（ＳｉＣ）繊維強化炭化ケイ素／ケイ素（ＳｉＣ／Ｓｉ）マトリックス複合材料からなる、請求項１記載の製品。
【請求項７】  前記ジルコンコーティングがジルコニア相安定剤を含む、請求項１記載の製品。
【請求項８】  前記相安定剤がイットリア（Ｙ2Ｏ3）、マグネシア（ＭｇＯ）又はカルシア（ＣａＯ）からなる、請求項７記載の製品。
【請求項９】  前記ジルコンコーティングが水蒸気の存在しない環境下で使用するための外部コーティングである、請求項１記載の製品。
【請求項１０】  外側酸化物系環境／遮熱コーティングをさらに含む、請求項１記載の製品。
【請求項１１】  前記外側酸化物系環境／遮熱コーティングがイットリア安定化ジルコニア、スカンジア安定化ジルコニア、カルシア安定化ジルコニア、マグネシア安定化ジルコニア及びそれらの混合物からなる群から選択される、請求項１０記載の製品。
【請求項１２】  エンジン部品へと成形された請求項１記載の製品。
【請求項１３】  前記部品がガスタービンエンジン部品又は航空機エンジン部品である、請求項１２記載の製品。
【手続補正書】
【提出日】平成19年4月17日(2007.4.17)
【手続補正１】
【補正対象書類名】明細書
【補正対象項目名】特許請求の範囲
【補正方法】変更
【補正の内容】
【特許請求の範囲】
【請求項１】  光ファイバの製造方法において、
光ファイバの製造に用いるための円筒状の中間的ガラス物体を提供し、この場合、ガラス物体は円筒状の孔を画成する壁を備え、前記孔の中心が前記ガラス物体の中心線に沿って位置決めされており、
該ガラス物体を、該ガラス物体の外径を減縮させるのに十分な温度に加熱し、
５００Torr以上の圧力を前記孔に加え、
該孔を一様かつ対称的に閉塞するのに十分な条件下で前記ガラス物体の外径を少なくとも１／３に減縮させる、
各工程を含むことを特徴とする前記方法。
【請求項２】  前記中間的ガラス物体を提供する工程が、該中間的ガラス物体を光ファイバプリフォームとして線引き炉に提供することを含み、前記ガラス物体の外径を減縮させる工程が、前記光ファイバプリフォームから光ファイバを線引きする工程を含み、該光ファイバの線引き工程中に前記中心孔が完全に閉塞するように、前記光ファイバプリフォームの外径が、前記中心孔に対して十分大きいことを特徴とする請求項１記載の方法。
【請求項３】  前記ガラス物体を用いて単一モード光ファイバを線引きする工程をさらに含み、前記ガラス物体を提供する工程が、該ガラス物体を、単一モード光ファイバを作成するのに適した中間的ガラス物体として提供することを含み、前記外径を減縮させる工程が、前記線引き工程中に、前記光ファイバの中心線の周囲が十分に対称的になるのに十分な圧力を前記中心孔に加えて、前記光ファイバに撚りが施されていない状態で、該光ファイバが０．２psec/sqrt-km未満の偏光モード分散値を有するようにすることを含むことを特徴とする請求項１記載の方法。
【請求項４】  前記ガラス物体を提供する工程が、前記中間的ガラス物体を単一モード光ファイバの中間的ガラス物体として提供することを含み、前記外径を減縮させる工程が、前記光ファイバの中心線の周囲に十分に対称的な複数のガラス層を形成するのに十分な圧力を前記中心孔に加えて、前記光ファイバが長さ１ｍについて３回未満の撚りが施されている状態で、該光ファイバが０．１psec/sqrt-km未満の偏光モード分散値を有するようにすることを含むことを特徴とする請求項３記載の方法。
【請求項５】  単一モード光ファイバにおいて、
複数のガラス層からなり中心線を備えたファイバコアと、該ファイバコアを取り囲むファイバクラッドとを有し、前記中心線を取り囲む複数のガラス層が十分に対称的な円を描いて、０．０２psec/sqrt-km未満の偏光モード分散値が得られることを特徴とする光ファイバ。
【請求項６】  前記光ファイバに、長さ１ｍについて３回未満の撚りが施されていることを特徴とする請求項５記載の光ファイバ。
【請求項７】  前記光ファイバが実質的に撚りが施されていない状態にあることを特徴とする請求項５記載の光ファイバ。
【請求項８】  前記光ファイバが同心的な複数のガラス層からなり、前記中心線から約０．０８μｍと約０．１５μｍとの間の距離だけ離れた部位のガラス層のいずれもが、全周に亘って０．０２５μｍ未満の半径偏差を示すことを特徴とする請求項５記載の光ファイバ。
【手続補正書】
【提出日】平成19年3月8日(2007.3.8)
【手続補正１】
【補正対象書類名】特許請求の範囲
【補正対象項目名】請求項１
【補正方法】変更
【補正の内容】
【請求項１】
それにシアン化水素及び不活性ガスを含有するガス混合物及びアセトンが連続的に供給され、それからアセトンシアンヒドリン含有液相及び不活性ガス含有ガス相が排出される気−液−反応器中での、塩基性触媒及びアセトンシアンヒドリンの存在下における、シアン化水素とアセトンとの反応及びこの液相からの揮発性成分の蒸留分離を包含するアセトンシアンヒドリンの連続的製法において、前記反応器から排出されるガス相から、１００〜２００℃（常圧）で沸騰する溶剤中で、又は酸性の安定化された純粋な、本質的にアセトン及びシアン化水素を含有しないアセトンシアンヒドリンが吹き込まれたガス洗浄器を用いて、未反応のシアン化水素及びアセトンを除去し、得られる洗浄相を気−液−反応器に供給することを特徴とする、アセトンシアンヒドリンの連続的製法。
【手続補正２】
【補正対象書類名】特許請求の範囲
【補正対象項目名】請求項５
【補正方法】変更
【補正の内容】
【請求項５】
シアン化水素及び不活性ガス含有ガス混合物は、シアン化水素製造のためのＢＭＡ−法又はアンドリュッソ−法から生じるような組成を有する、請求項１から４までのいずれか１項に記載の方法。
【手続補正書】
【提出日】平成19年6月1日(2007.6.1)
【手続補正１】
【補正対象書類名】明細書
【補正対象項目名】特許請求の範囲
【補正方法】変更
【補正の内容】
【特許請求の範囲】
【請求項１】  下記：
【化１】
2002543065.tif 000001
からなる群より選択される化合物またはその製薬上許容される塩。
【請求項２】  下記：
【化２】
2002543065.tif 000002
からなる群より選択される、請求項１に記載の化合物。
【請求項３】  下記：
【化３】
2002543065.tif 000003
からなる群より選択される、請求項１または２に記載の化合物。
【請求項４】  化合物が
【化４】
2002543065.tif 000004
である、請求項１〜３のいずれか１項に記載の化合物。
【請求項５】
【化５】
2002543065.tif 000005
である、化合物。
【請求項６】
【化６】
2002543065.tif 000006
である、化合物。
【請求項７】  製薬上許容し得る量の請求項１〜６のいずれか１項に記載の化合物および製薬上許容し得る担体を含む、医薬組成物。
【請求項８】  医薬として使用するための請求項１〜６のいずれか１項に記載の化合物。
【請求項９】  ＰＰＡＲリガンド結合活性を有する医薬の製造における請求項１〜６のいずれか１項に記載の化合物の使用。
【請求項１０】  インスリン、ブドウ糖、遊離脂肪酸（ＦＦＡ）またはトリグリセリドの生理学的に有害な血中レベルに関連する障害の治療のための医薬の製造における請求項１〜６のいずれか１項に記載の化合物の使用。
【請求項１１】  高血糖症の治療のための医薬の製造における請求項１〜６のいずれか１項に記載の化合物の使用。
【請求項１２】  糖尿病の治療のための医薬の製造における請求項１〜６のいずれか１項に記載の化合物の使用。
【請求項１３】  II型糖尿病の治療のための医薬の製造における請求項１〜６のいずれか１項に記載の化合物の使用。
【請求項１４】  生理学的障害のインスリン過剰症の治療のための医薬の製造における請求項１〜６のいずれか１項に記載の化合物の使用。
【請求項１５】  Ｘ症候群の治療のための医薬の製造における請求項１〜６のいずれか１項に記載の化合物の使用。
【請求項１６】  インスリン抵抗性の治療のための医薬の製造における請求項１〜６のいずれか１項に記載の化合物の使用。
【請求項１７】  心血管障害の治療のための医薬の製造における請求項１〜６のいずれか１項に記載の化合物の使用。
【請求項１８】  アテローム性動脈硬化症の治療のための医薬の製造における請求項１〜６のいずれか１項に記載の化合物の使用。
【請求項１９】  高脂質血症の治療のための医薬の製造における請求項１〜６のいずれか１項に記載の化合物の使用。
【請求項２０】  高血圧の治療のための医薬の製造における請求項１〜６のいずれか１項に記載の化合物の使用。
【請求項２１】  請求項１〜６のいずれか１項に記載の化合物を含有する医薬。
【手続補正書】
【提出日】平成19年4月27日(2007.4.27)
【手続補正１】
【補正対象書類名】明細書
【補正対象項目名】特許請求の範囲
【補正方法】変更
【補正の内容】
【特許請求の範囲】
【請求項１】  生物学的有効量の精製された抗ＶＥＧＦ抗体、またはその抗原結合フラグメントを含む組成物であって、該抗体が、モノクローナル抗体ＡＴＣＣ  ＰＴＡ  １５９５と実質的に同じエピトープに結合し、かつＶＥＧＦレセプターＶＥＧＦＲ１（Ｆｌｔ−１）へのＶＥＧＦの結合を有意に阻害することなく、ＶＥＧＦレセプターＶＥＧＦＲ２（ＫＤＲ／Ｆｌｋ−１）へのＶＥＧＦの結合を有意に阻害する、組成物。
【請求項２】  前記抗体が、ヒト抗体、ヒト化抗体、部分的ヒト抗体、キメラ抗体もしくは組換え抗体またはその抗原結合フラグメントである、請求項１に記載の組成物。
【請求項３】  前記抗体が、ＡＴＣＣ  ＰＴＡ  １５９５として寄託されたハイブリドーマにより産生されるモノクローナル抗体である、請求項１または２に記載の組成物。
【請求項４】  前記抗体が、少なくとも第１の生物学的薬剤に作動可能に連結される、請求項１〜３のいずれかに記載の組成物。
【請求項５】  前記抗体が、少なくとも第１の治療剤または実質的に不活性なプロドラッグを切断して実質的に活性な薬物を放出する薬剤に作動可能に連結される、請求項４に記載の組成物。
【請求項６】  前記抗体が、少なくとも第１の化学療法剤、放射療法剤、抗脈管形成剤、アポトーシス誘発剤、抗チューブリン薬、サイトカイン、凝血薬、細胞傷害性薬剤、細胞増殖抑制剤または抗細胞性薬剤に作動可能に連結される、請求項５に記載の組成物。
【請求項７】  治療の際に使用するための、請求項１〜６のいずれかに記載の組成物。
【請求項８】  動物において新脈管形成を阻害する際に使用するための、請求項１〜７のいずれかに記載の組成物。
【請求項９】  新脈管形成を阻害することによる疾患の処置のための医薬の製造における、請求項１〜８のいずれか１項に記載の組成物の使用。
【請求項１０】  眼性血管新生疾患、黄斑変性または癌の処置のための医薬の製造における、請求項９に記載の使用。
【手続補正書】
【提出日】平成19年4月26日(2007.4.26)
【手続補正１】
【補正対象書類名】明細書
【補正対象項目名】特許請求の範囲
【補正方法】変更
【補正の内容】
【特許請求の範囲】
【請求項１】  ベンゾジアゼピン化合物を含む、免疫障害、過剰増殖障害または慢性炎症状態に対する医薬であって、該ベンゾジアゼピン化合物が、以下の式：
【化１】
2002543121.tif 000001
、またはその塩もしくはエステル、または、その鏡像異性体もしくはラセミ混合物を含み、ここで、
Ｒ１は、脂肪族またはアリールであり；
Ｒ２は、脂肪族、アリール、−ＮＨ２，−ＮＨＣ（＝Ｏ）−Ｒ５、または水素結合形成に関与する部分であり、
ここでＲ５は、アリール、複素環式、−Ｒ６−ＮＨ−Ｃ（＝Ｏ）−Ｒ７または−Ｒ６−Ｃ（＝Ｏ）−ＮＨ−Ｒ７であり、ここでＲ６は、１〜６個の炭素の脂肪族リンカーであり、そしてＲ７は、脂肪族、アリール、または複素環式であり；ならびに
Ｒ３およびＲ４は、水素、ヒドロキシル、アルコキシ、ハロ、アミノ、低級アルキル置換アミノ、アセチルアミノ、ヒドロキシアミノ、１〜８個の炭素および１〜２０個の水素を有する脂肪族基、アリール、または複素環式からなる群より独立して選択される、医薬。
【請求項２】  Ｒ１が、メチルである、請求項１に記載の医薬。
【請求項３】  Ｒ２が、置換アリールである、請求項１に記載の医薬。
【請求項４】  Ｒ４が、ハロゲンである、請求項１に記載の医薬。
【請求項５】  前記ハロゲンが、塩素である、請求項４に記載の医薬。
【請求項６】  Ｒ３が、ヒドロキシルである、請求項１に記載の医薬。
【請求項７】  請求項１に記載の医薬であって、前記ベンゾジアゼピン化合物が、以下の式：
【化２】
2002543121.tif 000002
を含み、ここで、
Ｒ２は、脂肪族、アリール、−ＮＨ２，−ＮＨＣ（＝Ｏ）−Ｒ５、または水素結合形成に関与する部分である、医薬。
【請求項８】  請求項１に記載の医薬であって、前記ベンゾジアゼピンが、以下の構造：
【化３】
2002543121.tif 000003
を含む、医薬。
【請求項９】  前記免疫障害が、対宿主性移植片病である、請求項１に記載の医薬。
【請求項１０】  前記免疫障害が、慢性関節リウマチである、請求項１に記載の医薬。
【請求項１１】  前記免疫障害が、全身性エリテマトーデスである、請求項１に記載の医薬。
【請求項１２】  前記過剰増殖障害が、癌である、請求項１に記載の医薬。
【請求項１３】  前記癌が、腫瘍、新生物、リンパ腫または白血病である、請求項１２に記載の医薬。
【請求項１４】  前記慢性炎症状態が、ぜん息である、請求項１に記載の医薬。
【請求項１５】  前記慢性炎症状態が、乾癬である、請求項１に記載の医薬。
【請求項１６】  前記免疫障害を処置するための追加の薬剤をさらに含む、請求項１に記載の医薬。
【請求項１７】  前記過剰増殖障害を処置するための追加の薬剤をさらに含む、請求項１に記載の医薬。
【請求項１８】  前記慢性炎症状態を処置するための追加の薬剤をさらに含む、請求項１に記載の医薬。
【請求項１９】  ベンゾ−２，５−ジオン化合物を含む、免疫障害、過剰増殖障害または慢性炎症状態に対する医薬であって、該ベンゾ−２，５−ジオン化合物が、以下の式：
【化４】
2002543121.tif 000004
を有する化合物、それらの鏡像異性体および薬学的に受容可能な塩を含み、ここで、
Ｒ１は、１〜２０個の炭素原子および１〜２０個の水素原子を有する脂肪族基、または２０個までの炭素原子および２０個までの水素原子を有するアリール基であり；
Ｒ２およびＲ３のそれぞれは、水素、ヒドロキシル、Ｃ１〜４アルコキシ、ハロ、アミノ、Ｃ１〜４アルキル置換アミノ、アセチルアミノ、ヒドロキシアミノ、１〜８個の炭素および１〜２０個の水素を有する脂肪族基、６〜１４個の炭素原子を有するアリール基、ならびに、窒素、酸素および硫黄から選択される１つ以上のヘテロ原子を含む３〜６員の芳香族環または非芳香族環を有する複素環式からなる群より、独立して選択され、
Ｒ４は、脂肪族またはアリールである、医薬。
【請求項２０】  請求項１９に記載の医薬であって、前記ベンゾ−２，５−ジオンが、以下の構造：
【化５】
2002543121.tif 000005
を含む、医薬。
【請求項２１】  前記免疫障害が、対宿主性移植片病である、請求項１９に記載の医薬。
【請求項２２】  前記免疫障害が、慢性関節リウマチである、請求項１９に記載の医薬。
【請求項２３】  前記免疫障害が、全身性エリテマトーデスである、請求項１９に記載の医薬。
【請求項２４】  前記過剰増殖障害が、癌である、請求項１９に記載の医薬。
【請求項２５】  前記癌が、腫瘍、新生物、リンパ腫または白血病である、請求項２４に記載の医薬。
【請求項２６】  前記慢性炎症状態が、ぜん息である、請求項１９に記載の医薬。
【請求項２７】  前記慢性炎症状態が、乾癬である、請求項１９に記載の医薬。
【請求項２８】  前記免疫障害を処置するための追加の薬剤をさらに含む、請求項１９に記載の医薬。
【請求項２９】  前記過剰増殖障害を処置するための追加の薬剤をさらに含む、請求項１９に記載の医薬。
【請求項３０】  前記慢性炎症状態を処置するための追加の薬剤をさらに含む、請求項１９に記載の医薬。
【請求項３１】  以下の式：
【化６】
2002543121.tif 000006
を含むベンゾ−２，５−ジオン化合物、それらの鏡像異性体および薬学的に受容可能な塩であり、ここで、
Ｒ１は、１〜２０個の炭素原子および１〜２０個の水素原子を有する脂肪族基、または２０個までの炭素原子および２０個までの水素原子を有するアリール基であり；
Ｒ２およびＲ３のそれぞれは、水素、ヒドロキシル、Ｃ１〜４アルコキシ、ハロ、アミノ、Ｃ１〜４アルキル置換アミノ、アセチルアミノ、ヒドロキシアミノ、１〜８個の炭素および１〜２０個の水素を有する脂肪族基、６〜１４個の炭素原子を有するアリール基、ならびに、窒素、酸素および硫黄から選択される１つ以上のヘテロ原子を含む３〜６員の芳香族環または非芳香族環を有する複素環式基からなる群より、独立して選択され、
Ｒ４は、脂肪族またはアリールである、ベンゾ−２，５−ジオン化合物、それらの鏡像異性体および薬学的に受容可能な塩。
【請求項３２】  前記ベンゾ−２，５−ジオンが、以下の構造：
【化７】
2002543121.tif 000007
を含む、請求項３１に記載のベンゾ−２，５−ジオン化合物。
【手続補正書】
【提出日】平成19年4月26日(2007.4.26)
【手続補正１】
【補正対象書類名】明細書
【補正対象項目名】特許請求の範囲
【補正方法】変更
【補正の内容】
【特許請求の範囲】
【請求項１】
【化１−１】
2002543163.tif 000001
からなる群より選択される化合物、およびその任意の塩または立体異性体。
【請求項２】  以下の式：
【化１−２】
2002543163.tif 000002
請求項１に記載の化合物およびその任意の塩または立体異性体。
【請求項３】  以下の式：
【化１−３】
2002543163.tif 000003
の、請求項１に記載の化合物およびその任意の塩。
【請求項４】  以下の式：
【化１−４】
2002543163.tif 000004
の、請求項１に記載の化合物およびその任意の塩。
【請求項５】  請求項２、３または４のいずれかに記載の化合物および薬学的に受容可能なキャリアを含む、組成物。
【請求項６】  疾患を処置するための組成物であって、該疾患は、細胞増殖制御の有意な損失によって特徴付けられる異常な細胞増殖であり、該組成物は、請求項２、３または４に記載の化合物のうちの１以上を含む、組成物。
【請求項７】  前記疾患が癌である、請求項６に記載の組成物。
【請求項８】  前記癌が前立腺癌である、請求項７に記載の組成物。
【請求項９】  前記癌が乳癌である、請求項７に記載の組成物。
【請求項１０】  前記癌が転移性癌である、請求項７に記載の組成物。
【請求項１１】  前記疾患が良性前立腺過形成である、請求項６に記載の組成物。
【請求項１２】  前記疾患が前立腺炎である、請求項６に記載の組成物。
【誤訳訂正書】
【提出日】平成19年4月16日(2007.4.16)
【誤訳訂正１】
【訂正対象書類名】明細書
【訂正対象項目名】００３７
【訂正方法】変更
【訂正の内容】
【００３７】
還元反応は０℃〜９０℃、好ましくは１５〜２５℃の温度で行なう。還元剤としては例えばヒドラジン、蟻酸またはまたはアルカリ金属硼化水素塩の各水溶液、例えば硼化水素ナトリウムの水溶液を使用することができる。
【誤訳訂正２】
【訂正対象書類名】明細書
【訂正対象項目名】００４７
【訂正方法】変更
【訂正の内容】
【００４７】
アルカリ金属化合物の溶液は一回または複数回の噴霧、蒸発または浸漬によっても触媒前駆体に適用することができる。
【誤訳訂正３】
【訂正対象書類名】明細書
【訂正対象項目名】００４８
【訂正方法】変更
【訂正の内容】
【００４８】
アルカリ金属化合物の溶液での処理の後に触媒前駆体を次いで最高１５０℃まで乾燥する（方法段階７）。
【手続補正書】
【提出日】平成19年4月27日(2007.4.27)
【手続補正１】
【補正対象書類名】明細書
【補正対象項目名】特許請求の範囲
【補正方法】変更
【補正の内容】
【特許請求の範囲】
【請求項１】  有効量の化合物または前記化合物の医薬的に許容可能な塩を含む、生物体における糖化最終生成物の形成またはタンパク質架橋を阻害する医薬組成物であって、前記化合物がペントキシフィリン、ピオグリタゾンおよびメトフォルミンからなる群から選択される、前記医薬組成物。
【請求項２】  有効量の化合物または前記化合物の医薬的に許容可能な塩を含む、生物体における老化の心身に有害な作用を遅延させる医薬組成物であって、前記作用が糖化最終生成物またはタンパク質架橋の形成であり、前記化合物がペントキシフィリン、ピオグリタゾンおよびメトフォルミンからなる群から選択される、前記医薬組成物。
【請求項３】  有効量の化合物または前記化合物の医薬的に許容可能な塩を含む、糖尿病から生じる合併症の患者における進行を遅延させる医薬組成物であって、前記合併症が糖化最終生成物の形成またはタンパク質架橋から生じ、そして前記化合物がペントキシフィリン、ピオグリタゾンおよびメトフォルミンからなる群から選択される、前記医薬組成物。
【請求項４】  有効量の化合物または前記化合物の医薬的に許容可能な塩を含む、慢性関節リウマチ、アルツハイマー病、尿毒症、神経毒性、またはアテローム性動脈硬化症の患者における進行を遅延させる医薬組成物であって、前記化合物がペントキシフィリン、ピオグリタゾンおよびメトフォルミンからなる群から選択される、前記医薬組成物。
【請求項５】  糖化最終生成物の形成またはタンパク質架橋を阻害するために有効量の化合物または前記化合物の医薬的に許容可能な塩を食料と混合することを含む、前記食料中のタンパク質の腐敗（spoilage）を防止する方法であって、前記化合物がペントキシフィリン、ピオグリタゾンおよびメトフォルミンからなる群から選択される、前記方法。
【請求項６】  生物体における糖化最終生成物の形成またはタンパク質架橋を阻害するための、有効量の化合物または前記化合物の医薬的に許容可能な塩の使用であって、前記化合物がペントキシフィリン、ピオグリタゾンおよびメトフォルミンからなる群から選択される、前記使用。
【請求項７】  生物体における老化の心身に有害な作用を遅延させるための、有効量の化合物または前記化合物の医薬的に許容可能な塩の使用であって、前記作用が糖化最終生成物またはタンパク質架橋の形成であり、前記化合物がペントキシフィリン、ピオグリタゾンおよびメトフォルミンからなる群から選択される、前記使用。
【請求項８】  糖尿病から生じる合併症の患者における進行を遅延させるための、有効量の化合物または前記化合物の医薬的に許容可能な塩の使用であって、前記合併症が糖化最終生成物の形成またはタンパク質架橋から生じ、そして前記化合物がペントキシフィリン、ピオグリタゾンおよびメトフォルミンからなる群から選択される、前記使用。
【請求項９】  慢性関節リウマチ、アルツハイマー病、尿毒症、神経毒性、またはアテローム性動脈硬化症の患者における進行を遅延させるための、有効量の化合物または前記化合物の医薬的に許容可能な塩の使用であって、前記化合物がペントキシフィリン、ピオグリタゾンおよびメトフォルミンからなる群から選択される、前記方法。
【手続補正書】
【提出日】平成19年3月1日(2007.3.1)
【手続補正１】
【補正対象書類名】明細書
【補正対象項目名】特許請求の範囲
【補正方法】変更
【補正の内容】
【特許請求の範囲】
【請求項１】  細胞周期を予防および／または阻害および／または阻止するための薬物の製造における環式化合物または薬学的に活性なその塩の使用であって、ここで、該環式化合物は、少なくとも１つの環を含み、
ここで、基Ｉおよび基ＩＩは、互いに独立して、該環式化合物の環に結合され；
ここで、該基Ｉは、ヒドロカルビル基またはオキシヒドロカルビル基であり；そして
ここで、該基ＩＩは、式：
【化１】
2002543114.tif 000001
の基であり、
Ｘは、ＰまたはＳであり；
ＸがＰの場合、Ｙは＝ＯまたはＳであり、Ｚは、−ＯＨであり、そしてＲは、ヒドロカルビルまたはＨであり；
ＸがＳの場合、Ｙは、＝Ｏであり、Ｚは、Ｏであり、そしてＲは、ヒドロカルビルまたはＮ（Ｒ１）（Ｒ２）であり、ここで、Ｒ１およびＲ２の各々は、Ｈまたはヒドロカルビル基から独立して選択される、使用。
【請求項２】  細胞周期を不可逆的に予防および／または阻害および／または阻止するための薬物の製造における、請求項１に記載の化合物の使用。
【請求項３】  前記細胞周期がＧ２／Ｍ期において予防および／または阻害および／または阻止される、請求項１または２に記載の使用。
【請求項４】  前記環式化合物が多環式化合物である、請求項１〜３のいずれか１項に記載の使用。
【請求項５】  前記基Ｉおよび基ＩＩが、前記多環式化合物の同一の環に各々結合される、請求項４に記載の使用。
【請求項６】  前記多環式化合物がステロイド性構造を有する、請求項４または５に記載の使用。
【請求項７】  前記基Ｉおよび基ＩＩが、互いにオルト位で同一の前記環に各々結合される、請求項１〜６のいずれか１項に記載の使用。
【請求項８】  前記基Ｉが、前記ステロイド性核のＡ環の２位に結合される、請求項６または７に記載の使用。
【請求項９】  前記基ＩＩが、前記ステロイド核のＡ環の３位に結合される、請求項６、７または８に記載の使用。
【請求項１０】  前記基Ｉが、オキシヒドロカルビル基、好ましくは、式Ｃ１〜６Ｏの基である、請求項１〜９のいずれか１項に記載の使用。
【請求項１１】  前記基Ｃ１〜６Ｏが、メトキシ基である、請求項１０に記載の使用。
【請求項１２】  前記化合物が、２−メトキシエストロン−３−Ｏ−サルファメートである、請求項１１に記載の使用。
【請求項１３】  前記基Ｉが、ヒドロカルビル基、好ましくは、式Ｃ１〜６の基である、請求項１〜９のいずれか１項に記載の使用。
【請求項１４】  前記基Ｃ１〜６がエチル基である、請求項１３に記載の使用。
【請求項１５】  前記メトキシ基またはエチル基が、ステロイド核のＡ環の２位に結合される、請求項１１または１４に記載の使用。
【請求項１６】  ＸがＳであり、ＲがＮ（Ｒ１）（Ｒ２）である、請求項１〜１５のいずれか１項に記載の使用。
【請求項１７】  前記化合物が、２−メトキシエストロン−３−Ｏ−サルファメートまたは２−エチルエストロン−３−Ｏ−サルファメートである、請求項１６に記載の使用。
【請求項１８】  ＸがＰであり；そしてＹが＝Ｏである、請求項１〜１５のいずれか１項に記載の使用。
【請求項１９】  ＸがＳであり；そしてＲがヒドロカルビルである、請求項１〜１５のいずれか１項に記載の使用。
【請求項２０】  ステロイド性環および以下の式：
【化２】
2002543114.tif 000002
のスルホネート基またはホスホネート基を含む、スルホネート化合物またはホスホネート化合物であって、ここで、
Ｘは、ＰまたはＳであり；
ＸがＰである場合、Ｚは、−ＯＨであり、かつＲは、ヒドロカルビルまたはＨであり；
ＸがＳである場合、Ｚは、＝Ｏであり；かつＲは、ヒドロカルビルであり；そして
ここで、該スルホネート基またはホスホネート基は、該ステロイド性核のＡ環の３位に結合され；かつ少なくとも１つの炭化水素基（好ましくは、Ｃ１〜６アルキル）は、該ステロイド性核のＡ環の２位に結合される、スルホネート化合物またはホスホネート化合物。
【請求項２１】  細胞周期を予防および／または阻害および／または阻止するための薬物の製造における化合物の使用であって、ここで、該化合物は、以下：
（ｉ）請求項１〜１７のいずれか１項に規定される通りの化合物：および
（ｉｉ）薬学的に受容可能なキャリア、希釈剤もしくは賦形剤；および／または
（ｉｉｉ）生物学的応答変更因子、
を含む、使用。
【請求項２２】  前記生物学的応答変更因子が、サイトカインである、請求項２１に記載の使用。
【請求項２３】  前記サイトカインが、腫瘍壊死因子（ＴＮＦ）である、請求項２２に記載の使用。
【請求項２４】  細胞周期を予防および／または阻害および／または阻止するための薬物の製造における環式化合物または薬学的に活性なその塩の使用であって、ここで、該環式化合物は、少なくとも１つの環を含み、ここで、基Ｉおよび基ＩＩは、互いに独立して、該環式化合物の環に結合され；
ここで、該基Ｉは、ヒドロカルビル基またはオキシヒドロカルビル基であり；そして
該基ＩＩは、以下の式：
【化３】
2002543114.tif 000003
の基であり、
ここで、Ｒ１およびＲ２の各々は、Ｈまたはヒドロカルビル基から独立して選択される、使用。
【請求項２５】  細胞周期を予防および／または阻害および／または阻止するための組成物であって、請求項１〜２４のいずれか１項に記載の化合物を含む、組成物。
【手続補正書】
【提出日】平成19年5月9日(2007.5.9)
【手続補正１】
【補正対象書類名】明細書
【補正対象項目名】特許請求の範囲
【補正方法】変更
【補正の内容】
【特許請求の範囲】
【請求項１】  オリゴマーの少なくとも50％が200kDaより大きい見かけ分子量を有するというサイズ分布プロファイルを有するヒトマンナン結合性レクチン（MBL）オリゴマーの単離方法において、
−  ヒトMBLオリゴマーの調製物を得、
−  前記調製物を、MBLオリゴマーに対するアフィニティーを有する炭水化物で誘導体化されたマトリックスを使用するアフィニティークロマトグラフィーにかけ、ここで当該記炭水化物で誘導体化されたマトリックスはMBLの一量体サブユニットに対して検出可能なアフィニティーを有さず、そして当該マトリックス自体は炭水化物を含まないものであり、そして
−  単離されたヒト組換えMBL組成物を含んでなる溶出物を得る、
ことを含む方法。
【請求項２】  前記マトリックスがプラスチックビーズから成る、請求項１に記載の方法。
【請求項３】  前記ポリペプチド組成物の単離を、ヘキソース−マトリックス上で実行する、請求項１に記載の方法。
【請求項４】  前記ポリペプチド組成物の単離を、マンノース−マトリックス上で実行する、請求項３に記載の方法。
【請求項５】  前記炭水化物で誘導体化されたマトリックスが、MBLサブユニットの二量体及び／又は一量体に対するアフィニティーに比べて、四量体、五量体及び／又は六量体に対して少なくとも２倍高いアフィニティーを有する、請求項４に記載の方法。
【請求項６】  オリゴマーの少なくとも50％が200kDaより大きい見かけ分子量を有するというサイズ分布プロファイルを有するヒトマンナン結合性レクチン（MBL）オリゴマーの製造方法において、
−  ヒトMBLポリペプチドまたはその機能的同等物であってヒトMBLのペプチド配列（配列番号：１）の修飾により得られるものをコードする遺伝子発現構築物を調製し、
−  宿主細胞培養物を前記構築物で形質転換し、
−  宿主細胞培養物を培養し、これによりポリペプチドを発現させかつ培地の中へ分泌させ、次いで
−  前記の培養培地を、MBLオリゴマーに対するアフィニティーを有する炭水化物で誘導体化されたマトリックスを使用するアフィニティークロマトグラフィーにかけ、ここで当該記炭水化物で誘導体化されたマトリックスはMBLの一量体サブユニットに対して検出可能なアフィニティーを有さず、そして当該マトリックス自体は炭水化物を含まないものであり、そして
−  ヒト組換えMBLを含んでなる溶出物を得る、
ことを含む方法。
【請求項７】  前記遺伝子発現構築物が、前記ヒトMBL遺伝子又はその機能的同等物からの少なくとも２個のエキソン配列を含む、請求項６に記載の方法。
【請求項８】  前記遺伝子発現構築物が、MBLサブユニット又はその機能的同等物をコードするcDNAを含む、請求項６に記載の方法。
【請求項９】  前記宿主細胞培養物を、イン−ビトロで培養する、請求項６に記載の方法。
【請求項１０】  前記宿主細胞培養物が、哺乳朗宿主細胞培養物である、請求項６に記載の方法。
【請求項１１】  前記マトリックスがプラスチックビーズから成る、請求項10に記載の方法。
【請求項１２】  前記ポリペプチド組成物の単離を、ヘキソースで誘導体化されたマトリックス上で実行する、請求項６に記載の方法。
【請求項１３】  前記ポリペプチド組成物の単離を、マンノースで誘導体化されたマトリックス上で実行する、請求項12に記載の方法。
【請求項１４】  前記炭水化物で誘導体化されたマトリックスが、MBLサブユニットの二量体及び／又は一量体に対するアフィニティーに比べて、四量体、五量体及び／又は六量体に対して少なくとも２倍高いアフィニティーを有する、請求項６〜13のいずれか1項に記載の方法。
【請求項１５】  前記オリゴマーの少なくとも60％が200kDaより大きい見かけ分子量を有する、請求項１〜14のいずれか１項に記載の方法。
【請求項１６】  前記オリゴマーの少なくとも70％が200kDaより大きい見かけ分子量を有する、請求項１〜14のいずれか１項に記載の方法。
【請求項１７】  前記オリゴマーの少なくとも80％が200kDaより大きい見かけ分子量を有する、請求項１〜14のいずれか１項に記載の方法。
【請求項１８】  前記オリゴマーの少なくとも90％が200kDaより大きい見かけ分子量を有する、請求項１〜14のいずれか１項に記載の方法。
【請求項１９】  前記オリゴマーの少なくとも95％が200kDaより大きい見かけ分子量を有する、請求項１〜14のいずれか１項に記載の方法。
【請求項２０】  前記オリゴマーの少なくとも99％が200kDaより大きい見かけ分子量を有する、請求項１〜14のいずれか１項に記載の方法。
【手続補正書】
【提出日】平成18年12月25日(2006.12.25)
【手続補正１】
【補正対象書類名】明細書
【補正対象項目名】特許請求の範囲
【補正方法】変更
【補正の内容】
【特許請求の範囲】
【請求項１】  磁性粒子を用いて細胞を収集する方法であって、以下の工程を含む方法：
（ａ）細胞が磁性粒子に選択的に直接吸着して複合体を形成する条件下で該細胞と該磁性粒子を混ぜる工程であって、前記磁性粒子が、(1) pH依存性イオン交換粒子及び(2) 水和シリカ酸化物吸着表面を有するシリカ酸化物を被覆した磁性コアから本質的になるシリカ磁性粒子からなる群から選ばれたものであり；及び
（ｂ）磁力を適用して、前記複合体を前記溶液から単離する工程。
【請求項２】  中に細胞が含まれる前記溶液が、その中で懸濁された細菌を培養している増殖培地である請求項１に記載の方法。
【請求項３】  前記細胞が、血液細胞である請求項１に記載の方法。
【請求項４】  前記細胞が哺乳類の白血球であり、かつ中に細胞が含まれる前記溶液が全血である請求項３に記載の方法。
【請求項５】  前記磁性粒子が、シリカ磁性粒子である請求項１に記載の方法。
【請求項６】  前記磁性粒子が、ｐＨ依存性イオン交換磁性粒子である請求項１に記載の方法。
【請求項７】  前記ｐＨ依存性イオン交換磁性粒子が、グリシジル−ヒスチジン修飾シリカ磁性粒子、及びグリシジル−アラニン修飾シリカ磁性粒子からなる群より選択される請求項６に記載の方法。
【請求項８】  破壊された生体物質の溶液を清澄化する方法であって、以下の工程を含む方法：
（ａ）破壊された生体物質を含有する溶液を供給する工程；
（ｂ）前記溶液を、第２の磁性粒子と混ぜる工程であって、前記破壊された生体物質が該磁性粒子に選択的に直接吸着して複合体を形成する条件下で混ぜ、前記磁性粒子が、(1) pH依存性イオン交換粒子及び(2) 水和シリカ酸化物吸着表面を有するシリカ酸化物を被覆した磁性コアから本質的になるシリカ磁性粒子からなる群から選ばれたものであり；及び
（ｃ）磁力を適用して、前記複合体を前記溶液から分離する工程。
【請求項９】  前記破壊された生体物質が、細菌細胞ライセートである請求項８に記載の方法。
【請求項１０】  前記破壊された生体物質が、哺乳類組織のホモジネートである請求項８に記載の方法。
【請求項１１】  前記破壊された生体物質が、血液のライセートである請求項８に記載の方法。
【請求項１２】  前記破壊された生体物質が、全血から単離された哺乳類の白血球のライセートである請求項１１に記載の方法。
【請求項１３】  前記第２の磁性粒子が、シリカ磁性粒子である請求項８に記載の方法。
【請求項１４】  前記第２の磁性粒子が、第２のｐＨ依存性イオン交換磁性粒子である請求項８に記載の方法。
【請求項１５】  前記第２のｐＨ依存性イオン交換磁性粒子が、グリシジル−ヒスチジン修飾シリカ磁性粒子、及びグリシジル−アラニン修飾シリカ磁性粒子からなる群より選択される請求項１４に記載の方法。
【請求項１６】  さらに、以下の工程に従い、工程（ａ）で供給される前記破壊された生体物質を生成する工程を含む請求項８に記載の方法：
中に細胞が含まれる溶液を、第１の磁性粒子と混ぜる工程であって、前記細胞が前記第１の磁性粒子と複合体を形成する条件下で混ぜる工程；
磁力を適用して、前記複合体を前記溶液から単離する工程；及び
前記細胞を破壊する工程。
【請求項１７】  前記第１の磁性粒子が、シリカ磁性粒子である請求項１６に記載の方法。
【請求項１８】  前記第１の磁性粒子が、第１のｐＨ依存性イオン交換磁性粒子である請求項１６に記載の方法。
【請求項１９】  前記第１のｐＨ依存性イオン交換磁性粒子が、グリシジル−ヒスチジン修飾シリカ磁性粒子、及びグリシジル−アラニン修飾シリカ磁性粒子からなる群より選択される請求項１８に記載の方法。
【請求項２０】  前記第１の磁性粒子が、前記第２の磁性粒子と同一である請求項１６に記載の方法。
【請求項２１】  標的核酸を、該標的核酸と、第１の非標的物質と、第２の非標的物質とを含有する破壊された生体物質から単離する方法であって、以下の工程を含む方法：
（ａ）前記破壊された生体物質の溶液を、第１の磁性粒子と混ぜる工程であって、前記第１の非標的物質が、該磁性粒子に選択的に直接吸着して第１の複合体を形成する条件下で混ぜ、前記磁性粒子が、(1) pH依存性イオン交換粒子及び(2) 水和シリカ酸化物吸着表面を有するシリカ酸化物を被覆した磁性コアから本質的になるシリカ磁性粒子からなる群から選ばれたものであり；
（ｂ）磁力を適用して、前記第１の複合体を前記破壊された生体物質の溶液から分離し、前記標的核酸と前記第２の非標的物質とを含有する清澄化溶液を生成する工程；
（ｃ）前記清澄化溶液を、第２の磁性粒子と混ぜる工程であって、前記標的核酸が、前記第２の磁性粒子に吸着して、第２の複合体を形成する条件下で混ぜる工程；
（ｄ）前記第２の複合体を、前記清澄化溶液から単離する工程；
（ｅ）前記第２の複合体を洗浄溶液と混ぜ、かつ磁力を適用して前記第２の複合体を前記洗浄溶液から分離することによって、前記第２の複合体を洗浄する工程；及び
（ｆ）前記洗浄された第２の複合体を、溶出液と混ぜる工程であって、前記標的物質が前記第２の磁性粒子から脱着される条件下で混ぜる工程。
【請求項２２】  前記破壊された生体物質が、細菌細胞のライセート、血液細胞のライセート、及び組織のホモジネートからなる群より選択される請求項２１に記載の方法。
【請求項２３】  前記標的核酸が、プラスミドＤＮＡである請求項２１に記載の方法。
【請求項２４】  前記標的核酸が、ゲノムＤＮＡである請求項２１に記載の方法。
【請求項２５】  前記標的核酸が、ＲＮＡである請求項２１に記載の方法。
【請求項２６】  前記第２の磁性粒子が、シリカ磁性粒子、及びｐＨ依存性イオン交換磁性粒子からなる群より選択される請求項２１に記載の方法。
【請求項２７】  前記第１の非標的物質が、細胞デブリ又はホモジネート組織と、沈殿物であって、タンパク質、非標的核酸、及び脂質からなる群より選択される物質の沈殿物とを含む請求項２１に記載の方法。
【請求項２８】  工程（ｃ）で前記標的核酸が前記第２の磁性粒子に吸着されるとき、前記第２の非標的物質が溶液中に残存している請求項２１に記載の方法。